(57)【要約】【課題】従来の昆虫用麻酔剤の多く（有機薬品類）は人体に有害な上に、昆虫種ごとに適切な条件を設定する必要が有った。また汎用される炭酸ガス麻酔は、麻酔時間が短く、特別な設備や装置を必要とするため使用場所の制約を受ける、などの難点が有った。【解決手段】安全性の高い特定の天然植物精油成分を有効成分とし、特別な装置や容器を用いることなく、広範囲の陸生無脊椎動物種に対して、あらゆる場所で簡便に使用可能な外用塗布剤である行動抑制剤を提供する。【選択図】なし【特許請求の範囲】
【請求項１】
シトラール−ａ、シトラール−ｂ、α−テルピネオール、β−テルピネオール、γ−テルピネオール、δ−テルピネオール、α−テルピニルアセテート、β−テルピニルアセテート、γ−テルピニルアセテート、δ−テルピニルアセテートの中から選択した少なくとも１種以上の化合物から構成される活性油に、必要に応じて適量の界面活性剤を添加し、さらに必要に応じて鉱油や油脂で希釈した油性混合物、あるいは、活性油もしくは油性混合物を水中で界面活性剤を用いて調製した乳化分散液であることを特徴とする陸生無脊椎動物用行動抑制剤組成物。
【請求項２】
活性油を０.０５％以上含有することを特徴とする請求項１の陸生無脊椎動物用行動抑制剤組成物。
【発明の詳細な説明】
【技術分野】
【０００１】
本発明は、実験室内はもとより、野外においても簡便に陸生無脊椎動物の飛翔、歩行、逃避行動を人為的に抑制して、それらの捕獲やさまざまな処理を容易におこなえるようにするための、人体等に安全な行動抑制剤組成物に関するものである。
【背景技術】
【０００２】
昆虫類を含めて、何らかの研究や実験のために室内で飼育したり、調査等の目的のために、野外で捕獲してマーキングなどをおこなう必要のある陸生無脊椎動物（以下、特に断らない限り、陸生無脊椎動物を単に「動物」と称する）の種類は多い。しかし、これらの動物の中にはガ、ハチ、トンボなどのように高度な飛翔能力を備えたものや、バッタ、クモ、ゴキブリなどのように素早く逃避するものも少なくない。
【０００３】
従って、このような動物を数えたり、移動させたり、固定して何らかの処理を施したりする場合には、予めこれらの動物を麻酔して殆ど動かないようにしておく必要があり、このための麻酔剤として、炭酸ガス、ジエチルエーテル、酢酸エチル、クロロホルムなどの薬剤が用いられたり、動物種によっては低温処理や水中麻酔法も利用される。
【０００４】
しかし、動物種によって体サイズや体重が大きく異なるため、ジエチルエーテル、酢酸エチル、クロロホルムなどの薬品を使用する際には、吸入させる蒸気濃度の調節が難しく、不適切な麻酔処理によって動物が死亡することも少なくない。加えて、これらの薬品は人体に有害であるため、実験室内などの閉鎖空間での使用には細心の注意を要する。
【０００５】
一方、炭酸ガスによる麻酔は処理動物に対する生理的負担が少ないとされ、近年、汎用されるが、炭酸ガス雰囲気から動物を取り出すと数分程度で覚醒してしまうため、常に炭酸ガス雰囲気下で作業をせねばならず、通常、簡単な専用の装置を必要とする。従って、本法は野外で簡便に使用するのには適しておらず、上記の３種類の薬品も含めて、いずれも陸生無脊椎動物の麻酔には不完全な方法で、特に目的の動物を野外で捕獲・処理する場合には全く適していない。
【０００６】
さて、人体に対する全身麻酔においては、吸入麻酔法（亜酸化窒素ガス、セボフルラン、イソフルラン等の麻酔ガスを使用）や静脈麻酔法（プロポフォールやチオペンタール等の薬剤を使用）が、局所麻酔には表面麻酔や浸潤麻酔、伝達麻酔（リドカイン、ブピバカイン、ロピバカイン等を使用）などの方法がとられ、哺乳動物などの比較的大型の動物の捕獲に使用される麻酔銃には、ケタミン、エルトフィン、アセプロマジン等の麻酔剤や、場合によって鎮静剤、筋弛緩剤などが使用されるが、注射による麻酔は特に小型の無脊椎動物には適切でなく、しかもこれらの薬剤の多くは毒性が強く使用することはできない。
【０００７】
一方、天然植物精油の中には、蒸気吸入、経口摂取、体表面塗布などにより、人体や他の脊椎動物（魚類、ラットなど）に対して緩和な局所麻酔作用や鎮静作用を示すと言われるものが多数知られており、クロープ、シナモン、ハッカ、ペパーミント、イランイラン、イリス、スイートオレンジ、ローマンカモミール、カルダモン、クラリセージ、サイプレス、サンダルウッド、シトロネラ、ジンジャー、スペアミント、セダーウッド、ゼラニゥム、タンジェリン、ナツメグ、ネロリ、パイン、バジル、パチュリ、バニラ、バレリアン、ビターオレンジ、ベチバー、ベルガモット、安息香、マジョラム、マンダリン、レモンバーム、ヤロウ、ライム、ラベンダー、レモングラス、ローズ、ローズウッドなどの精油がそれらの例として挙げられる。
【０００８】
陸生無脊椎動物の行動（飛翔、歩行、跳躍）抑制には、適切な物質の蒸気吸入や、より望ましくは、体表面塗布（経皮吸収）よる方法が最も便利で実効性も期待されることから、上記の大部分の精油および、魚類もしくはラットに対する麻酔作用が報告されているクロープ油中の有効成分とされるオイゲノールやβ−カリオフィレン、人体への局所麻酔作用が知られているハッカ油やペパーミント油中の有効成分とされるl-メントール、鎮静作用が知られているセダーウッド油中のセドロール、レモンバーム油中のネリルアセテート、スイートオレンジ油中のリモネン、ラベンダー油、クラリセージ油やベルガモット油に含まれるリナリルアセテートやリナロール、さらに局所麻酔もしくは鎮静作用があると言われているビサボロール、カルバクロール、テルピネオール、シトロネラール、トシラール、カンファー、ボルネオール、フェンチョン、ジアセトンアルコールなどを用いて、予備的にハスモンヨトウの終齢幼虫およびクサギカメムシ成虫に対する行動抑制効果を、一定条件の下で、蒸気吸入法と体表面塗布法により評価した。
【０００９】
しかし、蒸気吸入法では３０分以上経過しても殆どの精油や精油成分に目立った行動抑制効果がみられず、一方、体表面塗布法では一部の精油に軽度の抑制効果が観察されたものの充分ではなく、その他の精油では全く効果がないか、逆に中毒症状を示して死亡する場合もみられた。また、個別の精油成分の試験でも満足な抑制効果はみられず、ごく一部の成分では急性毒性によるものか、死亡する場合が観察された。このように、脊椎動物と無脊椎動物とでは化合物の作用機序や生理作用が異なるためか、脊椎動物で報告されている知見をそのまま無脊椎動物に当てはめることができない。従って多種類の化合物と動物種を対象とした独自の詳細な試験結果に基づいて、人体に安全で新規な陸生無脊椎動物用行動抑制剤の開発が望まれていた。
【先行技術文献】
【非特許文献】
【００１０】
【非特許文献１】Anaesthesia, 53: 720-721, 1996.
【非特許文献２】Farmaco, 56: 387-389, 2001.
【非特許文献３】Brazilian Journal of Medical and Biological Research,  34:1337-1340, 2001.
【非特許文献４】The International Journal of Aromatherapy, 15: 7-14, 2005.
【非特許文献５】Planta Medica, 76: 1647-1653, 2010.
【非特許文献６】African Journal of Biotechnology, 9: 6566-6572, 2010.
【非特許文献７】Comparative Biochemistry and Physiology, Part C, 155: 462-468, 2012.
【非特許文献８】Fish Physiology and Biochemistry, 40: 701-714, 2014.
【非特許文献９】Journal of Limnology and Freshwater Fisheries Research, vol.1, 2015.
【非特許文献１０】Journal of Traditional and Complementary Medicine, 6: 140-145, 2016.
【発明の概要】
【発明が解決しようとする課題】
【００１１】
解決しようとする問題点としては、既存の昆虫などに使う麻酔剤の中で有機性薬品を使う場合は、昆虫種ごとに適切な蒸気濃度と暴露時間を設定する必要が有るが、これは処理温度（周囲の気温）の影響を受けると共に、対象昆虫種の発育段階（ステージ）によっても大きく変わるため、適切な麻酔条件を見出すのに熟練を要したり、煩雑な予備実験を必要とすること、またそれによって多くの個体を死亡させてしまう恐れが大きいこと、加えて作業中の蒸気吸入による人体（試験担当者）への悪影響が強く懸念されること、また一方、炭酸ガス麻酔においては、麻酔からの回復が比較的早いために、常に炭酸ガス雰囲気下で作業する必要が有り、そのために特別な装置を必要とすること、従って野外での作業には不向きで、捕獲調査等には使用できないこと、などが挙げられる。
【課題を解決するための手段】
【００１２】
本発明は、安全性の高い特定の天然植物精油成分を活性成分とする組成物からなり、特別な装置や容器を用いることなく、あらゆる場所で使用可能な外用塗布剤であり、動物の飛翔、歩行、跳躍などの運動機能を生理的に阻害することにより、諸行動を抑制することを主要な特徴とする。
【００１３】
具体的には、活性成分として、（１）シトラール（シトラール−ａまたはシトラール−ｂ、及びそれらの任意割合の混合物を含む）、（２）テルピネオール（α−テルピネオール、β−テルピネオール、γ−テルピネオール、δ−テルピネオールのいずれか一つ、またはそれらの任意割合の混合物を含む）、（３）酢酸テルピニル（α−テルピニルアセテート、β−テルピニルアセテート、γ−テルピニルアセテート、δ−テルピニルアセテートのいずれか一つ、またはそれらの任意割合の混合物を含む）で示される（１）〜（３）の３群の中から選択した少なくとも１つの群で構成される精油に、必要に応じて適量の界面活性剤を添加して、さらに必要に応じて希釈剤としての鉱油や油脂に溶解する方法、あるいは、（１）〜（３）の中から選択した少なくとも１つの群で構成される精油、またはそれを鉱油や油脂に溶解した油性液を、界面活性剤を用いて水中で乳化分散する方法などにより、本発明を完成した。
【００１４】
ここで使用する希釈剤としての鉱油は、ケロシン、軽油、マシン油、流動パラフィンなどの炭化水素類（これらのいずれか一つ、または任意割合の混合物を含む）で、油脂類としては、ナタネ油、コーン油、ダイズ油、アマニ油、オリーブ油、ゴマ油、ツバキ油、ヒマシ油、落花生油、ヤシ油、パーム油、キリ油、サフラワー油、ヒマワリ油、マツ実油、アサ実油、綿実油、ヌカ油、グレープフルーツ種油、ヘントウ油、イワシ油、ニシン油、鯨油、牛脂、豚脂などやそれらの混合油脂が挙げられるが、これらに限定されるものではない。
【００１５】
ここで使用する界面活性剤としては、一般に乳化剤、分散剤、可溶化剤として利用される種々の非イオン系界面活性剤（例えばソルビタン脂肪酸エステル、ポリオキシエチレンソルビタン脂肪酸エステル、ショ糖脂肪酸エステル、グリセリン脂肪酸エステル、ポリエチレングリコール脂肪酸エステル、脂肪酸ジエタノールアミド、ポリオキシエチレンアルキルフェニルエーテル、ポリグリセリン脂肪酸エステル、プロピレングリコール脂肪酸エステル、ポリオキシエチレンアルキルエーテルなどが挙げられるが、これらに限定されるものではない）および陰イオン系界面活性剤（アルキル硫酸エステル塩、ポリオキシエチレンアルキルエーテル硫酸エステル塩、アルキルスルホン酸塩、アルキルベンゼンスルホン酸塩、脂肪酸塩、アルキルリン酸エステル塩などが挙げられるが、これらに限定されるものではない）を用いることが可能であるが、動物に対する負荷の観点からは、ソルビタン脂肪酸エステルやショ糖脂肪酸エステルなどがより好ましい。
【００１６】
このようにして得られた組成物を、対象とする陸生無脊椎動物（昆虫類、クモ・ダニ類、ムカデ・ヤスデ類、ダンゴムシ類などの節足動物、ミミズ・ヒル類などの環形動物、カタツムリ・ナメクジ類などの軟体動物）に適量を直接散布することにより所期の目的を達成することができる。
【発明の効果】
【００１７】
本発明の組成物は、麻酔作用や鎮静作用により動物の行動を抑制すると考えられるが、作用が比較的緩和なため塗布量の範囲（幅）が広く、適用可能な対象動物の種類が多いという大きな特徴を有するとともに、塗布過多による生理異常や死亡を回避できる一方、逆に塗布量が不足していると判断される場合には、対象動物（個体）の様子を見ながら適宜、反復塗布も可能で、確実に行動抑制を達成できるという長所も有する。
【００１８】
本発明の組成物は、活性成分の塗布濃度の調節も容易なため、同一動物種に対しても発育段階に応じた適切な濃度処理が可能である。従って、使用に際して特別な技術や経験を要せず、必要に応じて塗布量・回数の調節をおこなうことにより、簡便に対象動物の行動を適切に抑制することができる。さらに行動抑制時間を延長したい場合にも、対象動物の様子を考慮しつつ、追加塗布により実現が可能となる。
【００１９】
本発明の組成物の動物への塗布は、ハンドスプレーもしくは噴射剤を加えたスプレーを使用することにより極めて簡便におこなうことができるので、特別な設備や装置、容器などを全く必要としない。それゆえ、実験室内は勿論のこと、フィールドなどにおける動物の捕獲・調査などにも利用できるという、これまでない大きな利点も有する。
【００２０】
本発明の組成物を構成する基本配合原材料には、食品添加物として許可された香料や鉱油、油脂が少なくないため、原材料を適切に選択することにより、人畜に対する安全性の高い商品の提供が可能である。また、香料成分は全て天然の植物由来素材であって、野外で使用しても微生物、空気、紫外線等により比較的短期間で資化・分解されるために土壌残留性が無く、従って環境汚染度が極めて低いという特徴も備えている。
【発明を実施するための形態】
【００２１】
本発明の組成物は、植物精油中に存在する特定種類の活性成分に、必要に応じて適量の界面活性剤を加え、さらに必要に応じて鉱油や油脂で混和・希釈した油性混合液、あるいは、活性成分をそのまま、またはその油性混合液を常法により界面活性剤を用いて水中で乳化分散して水性乳化液を製造することによって得られ、これらの油性混合液や水性乳化液を噴霧器を用いて、あるいはこれにＬＰＧやジメチルエーテルなどの噴射剤を加えて、動物に塗布することにより本発明の目的を達成することができる。
【００２２】
以下に、界面活性剤として、特にショ糖脂肪酸エステルやソルビタン脂肪酸エステルを用いた例を実施例によって具体的に説明するが、これらは例示に過ぎず、本発明の組成物を制限するものではない。
【実施例１】
【００２３】
シトラール、テルピネオール、酢酸テルピニルを表１に示した重量比で組み合わせた５種類の活性成分液（以下、活性油と称す）Ａ，Ｂ，Ｃ，Ｄ，Ｅを調製した（表１）。
【表１】
2018029570.tif 000002
【実施例２】
【００２４】
表２に示した処方で、活性油Ａ〜Ｅのそれぞれに対して、各水性乳化液試料を製造するためのベース液を調製した。乳化液試料は、処方に記した活性油の所定量を通常の方法で乳化することにより容易に得られる。
【表２】
2018029570.tif 000003
【実施例３】
【００２５】
表３に示した処方で、活性油Ａ〜Ｅのそれぞれに対して、各油性液を製造するためのベース液を設定した。油性液試料は、処方に記した活性油を用いて、その所定量を必要に応じて所定量のソルビタン脂肪酸エステルと常温で混合・溶解し、さらに所定量の鉱油や油脂（それらの混合物も含む）で希釈することにより容易に得られる。
【表３】
2018029570.tif 000004
【実施例４】
【００２６】
活性油各２ｇを用いて、表２に示した処方で水性乳化液試料を２０種類調製した。（方法）室温で、所定の活性油に所定のショ糖脂肪酸エステルの水溶液をよく撹拌しながら加え、全量を１００ｇとした。その後、これを４００ｒｐｍで２分間混合撹拌して乳化液試料ＡＭ（２）〜ＥＯ（２）（括弧内の数値は活性油の配合％を示す。以下同様）を得た。調製した乳化液試料の均質性（外観）にはそれぞれ若干の違いは見られたものの、いずれも白色〜淡黄白色の概ね良好な乳化液が得られた。  
【実施例５】
【００２７】
活性油各５ｇを用いて、表３に示した処方で油性液試料を１９種類調製した。（方法）所定の活性油に所定量のソルビタン脂肪酸エステルを加えて７０℃で充分に混和した後、そこに７０℃に加温したケロシンを加えて全量を１００ｇとし、油性液試料ＳＡＯｓ（５）〜ＳＥＯ（５）を得た。いずれも殆ど透明〜ごく僅かに濁った無色〜微黄色のやや粘性のある液であった。
【実施例６】
【００２８】
実施例５において、活性油各２０ｇを用い、ケロシンの代わりにヒマシ油を用いる以外は全く同様の処方・方法により油性液試料を１９種類調製した。次にこれらの油性液を用い、実施例４おいて、表２記載の活性油をこれらの油性液に置きかえる以外は全く同様の方法により、表２、表３において同じ番号に対応する処方で水性乳化液試料を１９種類調製した。いずれも実施例４で得られた乳化液と同様、白色〜微黄白色の概ね良好な乳化液が得られ、活性油を希釈した油性液からも容易に水性乳化液試料の調製が可能である。
【実施例７】
【００２９】
表２記載の２，５，１２，１５及び１８番のベース液を用い、実施例４と同様の方法で、それぞれの活性油について配合量（％）が０.０１，０.０３，０.０５，０.１，０.３の水性乳化液試料を調製した。ハンドスプレーを用い、２５℃に設定した室内で、それらの乳化液をアオムシコバチ成虫に対して約１５ｃｍの距離から各１回ずつ塗布して、その後の行動を観察した。各試験試料ごとに２０匹の個体を使用し、正常な飛翔ができない場合を行動抑制効果あり、と判定した。３分以内に行動抑制が見られた個体の数と、それら個体の行動抑制時間（分）の平均値（括弧内に記載）を表４に示した。
【表４】
2018029570.tif 000005
【００３０】
表４から明らかなように、いずれのベース液においても活性油の濃度が０.０５％未満では行動抑制効果は極めて不充分であり、アオムシコバチのような小型昆虫についても、少なくとも０.０５％以上は必要であることが分かる。
【実施例８】
【００３１】
表２記載の３，８，１０，１３及び１７番のベース液を用い、実施例７と同様にして活性油の配合量の異なる水性乳化液試料を調製した。各試験試料ごとに２０匹のヒトスジシマカを用いて、実施例７と同様の条件・方法で塗布・試験をおこない、行動抑制効果を評価した。結果を表５に示したが、実施例７と同様、活性油の濃度が０.０５％未満では行動抑制効果は極めて不充分であり、カのような小型昆虫についても、少なくとも０.０５％以上は必要であることが分かる。
【表５】
2018029570.tif 000006
【実施例９】
【００３２】
表３記載の１，５，８，１３，１５及び１９番の油性ベース液を用い、実施例５と同様の方法で、それぞれの活性油について配合量（％）が０.０１，０.０３，０.０５，０.１，０.３の油性液試料を各１００ｇ調製した。次いで、それぞれを３００ｇのＬＰＧと共に耐圧容器に封入して、油性スプレー試料を作製した。２５℃に設定した室内で、試験試料ごとに２０匹のオンシツコナジラミを用いて、約３０ｃｍの距離から２秒間スプレーを噴射して行動抑制効果を評価した。結果を表６に示したが、実施例７，８と同様、活性油の濃度が０.０５％未満では行動抑制効果は不充分であった。
【表６】
2018029570.tif 000007
【００３３】
これらのことから、水性乳化液、油性液のいずれにおいても、どの活性油でも少なくとも０.０５％以上を使用しないと、小型の昆虫類についても充分な行動抑制効果を発揮し得ないことが分かる。
【実施例１０】
【００３４】
表２記載の乳化液用ベース液１番（ＡＭ）を用いて、実施例４と同様の方法で活性油（Ａ）の配合量（％）が０.３，０.５，１，３，５，１０の水性乳化液試料を調製した。ハンドスプレーを用い、２５℃に設定した室内で、それらの乳化液を以下の１０種類の無脊椎動物に対して約１５ｃｍの距離から各１回ずつ塗布して、その後の行動を観察した。各動物種はそれぞれ２０匹の個体を使用し、正常な飛翔ができない場合、または自身の体長の約５倍以上の距離を移動できない場合を行動抑制効果あり、と判定した。３分以内に行動抑制が見られた個体の数と、それら個体の行動抑制時間（分）の平均値（括弧内に記載）を表７に示した。尚、試料によっては死亡個体が生じたが、その場合にはカギ括弧内に死亡した個体数を示した。１：フタモンアシナガバチ，２：ナミハダニ，３：キイロスズメバチ，４：チャコウラナメクジ，５：ヤマビル，６：ショウジョウバエ，７：オオタバコガ（成虫），８：ニセダイコンアブラムシ，９：ハリブトシリアゲアリ，１０：チュウレンジバチ（幼虫）
【表７】
2018029570.tif 000008
【００３５】
動物種によって、活性油の濃度が低い場合（例えば０.３〜０.５％）に行動抑制効果が不充分な例や、逆に濃度が高過ぎる場合（３％以上）には死亡する例もみられるが、いずれの種においても、比較的幅広い濃度範囲に亘って充分な抑制効果が認められる。
【実施例１１】
【００３６】
表３記載の油性ベース液９番（ＳＢＯ）のを用い、実施例５と同様の方法で、活性油（Ｂ）の配合量（％）が３，５，１０，２０，３０，５０の油性液試料を各１００ｇ調製した。次いで、実施例９と同様の方法で油性スプレー試料を作製した。２５℃に設定した室内で、それらのスプレーを以下の１０種類の無脊椎動物に対して約３０ｃｍの距離から２秒間噴射して、その後の行動を観察した。各動物種はそれぞれ２０匹の個体を使用し、正常な飛翔ができない場合、または自身の体長の約５倍以上の距離を移動できない場合を行動抑制効果あり、と判定した。３分以内に行動抑制が見られた個体の数と、それら個体の行動抑制時間（分）の平均値（括弧内に記載）を表８に示した（但し、１２０分を超える場合は、一律に１２０とした）。尚、試料によっては死亡個体が生じたが、その場合にはカギ括弧内に死亡した個体数を示した。１：チャドクガ（終齢幼虫），２：ジョロウグモ（１ｃｍ前後），３：オオスズメバチ，４：ガガイモハムシ，５：オンブバッタ，６：アカイエカ，７：トビズムカデ（８ｃｍ前後），８：クロゴキブリ，９：ナガメ，１０：コナカイガラムシ
【表８】
2018029570.tif 000009
【００３７】
活性油を油性液にした場合は高濃度の配合が可能となり、対象とし得る動物種の種類も増えるが、全体としては実施例１０と類似した傾向がみられ、幅広い濃度範囲に亘って充分な行動抑制効果が認められる。これらのことから本発明の組成物は、非常に多くの種類の陸生無脊椎動物に対して、有用な行動抑制剤として使用し得ることが分かる。
【実施例１２】
【００３８】
活性油Ｃ，Ｄ，Ｅのいずれかを含む水性乳化液用ベース液及び油性ベース液を用いて、それぞれ実施例１０及び１１と同様の試験試料を調製し、また同様の条件下で、各試料について５種類の動物に対する行動抑制効果を調べた。乳化液用ベース液としては、表２記載の１１番（活性油Ｃ）、１４番（活性油Ｄ）及び２０番（活性油Ｅ）を用いた（各活性油の配合濃度は実施例１０と同様の０.３〜１０％の６種類）。一方、油性ベース液（ケロシン使用）については表３記載の１１番（活性油Ｃ）、１６番（活性油Ｄ）及び１８番（活性油Ｅ）を用いた（各活性油の配合濃度は実施例１１と同様の３〜５０％の６種類）。試験の結果に基づき、それぞれの試料及び動物種について、充分な行動抑制効果を発揮するための、活性油の適切な配合濃度の範囲（％）を表９に示した。１：バラミドリアブラムシ，２：キイロアシナガバチ，３：ウリキンウワバ（終齢幼虫）４：ヒメスズメバチ，５：チョウバエ，６：ルリチュウレンジ（幼虫），７：ハエヤドリアシブトコバチ，８：シマサシガメ，９：オオスカシバ（終齢幼虫），１０：エンマコオロギ
【表９】
2018029570.tif 000010
【００３９】
活性油Ｃ，Ｄ，Ｅに関してもＡ，Ｂと類似の行動抑制効果がみられたが、ＣとＥについては、動物種によってはややより緩和な作用を示すことが分かった。しかしＥでは他の活性油に比べて、概して行動抑制時間が長くなる傾向がみられた。
【実施例１３】
【００４０】
各活性油について、水性乳化液用ベース液及び油性ベース液を用いて、それぞれ実施例４及び実施例５と同様の方法で試験試料を調製した。乳化液用ベース液としては、表２記載の４番（活性油Ａ）、７番（活性油Ｂ）、９番（活性油Ｃ）、１６（活性油Ｄ）及びを１９番（活性油Ｅ）を用い、各活性油の配合濃度はいずれも０.５％とした。一方、油性ベース液については表３記載の４番（活性油Ａ）、７番（活性油Ｂ）、１２番（活性油Ｃ）、１４（活性油Ｄ）及びを１７番（活性油Ｅ）を用い、各活性油の配合濃度はいずれも５％とした。次いで、乳化液ハンドスプレー試料については、対象動物にチャコウラナメクジ（２０匹）を用いて実施例７と同様の方法で、また油性ベース液試料についてはオンブバッタ（２０匹）を用いて、実施例９と同様の方法で試験をおこなった。対象動物に１回塗布しても行動抑制効果がみられない場合は、３分後に再度塗布し（２回目）、もしまだ効果がみられない場合は、更に３分後に再塗布（３回目）をおこなって様子を観察し、反復塗布による効果を評価した。表１０に、各塗布の後、３分以内に行動抑制が見られた個体の数を示した。
【表１０】
2018029570.tif 000011
【００４１】
動物種によっては、あるいは活性油の濃度がやや不充分な場合には、複数回の塗布をおこなっても、まだ充分な行動抑制効果のみられない場合（表下段）もあるが、塗布回数の増加に伴って抑制効果も増大していることから、反復塗布の効果は明瞭に認められる。更に、多くの実験により、この反復塗布法は他のナメクジやバッタに加えて、ムカデ、クモ、ハチ、カ、ゴキブリ、カメムシ、コナジラミ、チャタテムシ、ノミ、アザミウマ、ヒル、ハムシ、ハバチ、チョウ目幼虫、同成虫、ダニ、ハダニ、ハエ、アブラムシ、アリ、シロアリ、カイガラムシ、ウンカ、トンボ、テントウムシ、カマキリ、シラミ、セミ、ホタル、カミキリムシ、コガネムシ、カワゲラ（以上、総称）など、広範囲の陸生脊椎動物に対しても有効であることを確認した。このように本発明の組成物は、塗布すべき活性油の至適成分組成や濃度が不明な動物種に対しても、行動の様子を観察しながら反復塗布することにより簡便に目的を達せられること、従ってそのことにより失敗（動物の死亡など）を回避できる可能性が高いこと、などの利点を有する。  
【実施例１４】
【００４２】
実施例１０〜１２において、１０分間以上の行動抑制効果がみられた動物に対して、正常に戻った後に、再度、同一試料を塗布したところ、大部分の動物種において、再び同様の行動抑制効果が発現することが判明した。稀に死亡する例もみられたが、多くの場合は初回塗布よりも低濃度の試料塗布で同様の抑制効果を発現した。従って、行動抑制時間を延長したい場合にも、このような追加塗布法が有効に利用し得る。
【実施例１５】
【００４３】
本発明の組成物を用いて、野外でヒメスズメバチの捕獲とマーキング（表２、３番、活性油Ａ、５％配合）及びスズムシの捕獲とマーキング（表３、１０番、活性油Ｂ、１５％配合）を行った。ヒメスズメバチの捕獲には捕虫網も使用したが、捕虫網を使わずとも、花などに飛来した成虫に試料を直接塗布することでも充分可能であった。また、マーキングの際にも危険性は全く無く、安心して作業を行う事ができた。一方、スズムシの捕獲にも極めて有効であり、発見した虫に的確に塗布することにより逃避行動が抑制され、容易に捕獲することが可能であった。このように本発明の組成物は、実験室内などでの使用にとどまることなく、野外においても簡便に使用できる極めて有用な行動抑制剤組成物であることが分かる。
【産業上の利用可能性】
【００４４】
本発明に係る組成物は、農業・園芸分野などにおける実験材料としての害虫の研究（害虫の飼育や維持管理）に有用であり、大学や研究機関等においても広く行われている陸生無脊椎動物に関する生理、生態研究にも利用価値は高い。